(57)【要約】【目的】湾曲可能な挿入部と、該挿入部を湾曲操作する操作部とを、両者の軸線が一直線上に位置せず或る角度で交わる態様で結合した内視鏡において、簡単な構成により、挿入部の湾曲部を湾曲させる湾曲操作ワイヤや、内視鏡の内部を挿通するその他の線状物が、内視鏡の内部で絡まり合わないようにした内視鏡を提供する。【構成】湾曲可能な挿入部と、該挿入部を湾曲操作する操作部とを、両端部に該挿入部と操作部を結合する開口を有し、該一対の開口の軸線が一直線上に位置せずに交わるエルボ連結体を介して結合し、上記挿入部、エルボ連結体及び操作部内に渡らせて、押し引き操作されることにより、上記挿入部を湾曲させる複数の湾曲操作ワイヤを配設し、上記エルボ連結体の操作部側開口内に、上記複数の湾曲操作ワイヤをガイドする単一のガイド部材を配置したことを特徴とする内視鏡。【選択図】      図２
2004248777.tif 000002
【特許請求の範囲】
【請求項１】
湾曲可能な挿入部と、該挿入部を湾曲操作する操作部とを、両端部に該挿入部と操作部を結合する開口を有し、該一対の開口の軸線が一直線上に位置せずに交わるエルボ連結体を介して結合し、
上記挿入部、エルボ連結体及び操作部内に渡らせて、押し引き操作されることにより、上記挿入部を湾曲させる複数の湾曲操作ワイヤを配設し、
上記エルボ連結体の操作部側開口内に、上記複数の湾曲操作ワイヤをガイドする単一のガイド部材を配置したことを特徴とする内視鏡。
【請求項２】
湾曲可能な挿入部と、該挿入部を湾曲操作する操作部とを、両端部に該挿入部と操作部を結合する開口を有し、該一対の開口の軸線が一直線上に位置せずに交わるエルボ連結体を介して結合し、
上記挿入部、エルボ連結体及び操作部内に渡らせて、押し引き操作されることにより、上記挿入部を湾曲させる複数の湾曲操作ワイヤを配設し、
上記操作部内に、上記複数の湾曲操作ワイヤをガイドする単一のガイド部材を配置したことを特徴とする内視鏡。
【請求項３】
請求項１または２項記載の内視鏡において、上記エルボ連結体が、上記挿入部及び上記操作部とは別部材である内視鏡。
【請求項４】
湾曲可能な挿入部と、該挿入部を湾曲操作する操作部とを、両者の軸線が一直線上に位置せず或る角度で交わる態様で結合し、
上記挿入部及び操作部内に渡らせて、押し引き操作されることにより、上記挿入部を湾曲させる複数の湾曲操作ワイヤを配設し、
上記操作部内に、上記複数の湾曲操作ワイヤをガイドする単一のガイド部材を配置したことを特徴とする内視鏡。
【請求項５】
請求項１記載の内視鏡において、上記挿入部内に、前端が上記挿入部の先端面において開口し、かつ、後端が上記操作部において開口する処置具挿通用チューブを設け、上記ガイド部材に、該処置具挿通用チューブを挿通させるチューブ案内孔を形成した内視鏡。
【請求項６】
請求項１乃至４のいずれか１項記載の内視鏡において、上記挿入部内に、前端が上記挿入部の先端面において開口し、かつ、後端が上記挿入部の基端部において開口する処置具挿通用チューブを設けた内視鏡。
【請求項７】
請求項１乃至６のいずれか１項記載の内視鏡において、上記ガイド部材が、上記湾曲操作ワイヤを一本ずつ挿通させる複数のワイヤ案内孔を備える内視鏡。
【請求項８】
請求項１乃至６のいずれか１項記載の内視鏡において、上記ガイド部材が、上記湾曲操作ワイヤを一本ずつ係合させる複数のワイヤ案内溝を備える内視鏡。
【請求項９】
請求項１乃至８のいずれか１項記載の内視鏡において、上記操作部に、正逆方向に回転することにより、上記湾曲操作ワイヤを押し引きする湾曲操作ノブを設けた内視鏡。
【発明の詳細な説明】
【０００１】
【技術分野】
本発明は、湾曲可能な挿入部と、挿入部を湾曲操作する操作部とを、両者の軸線が一直線上に位置せず或る角度で交わる態様で結合した内視鏡に関する。
【０００２】
【従来技術及びその問題点】
内視鏡は、操作部と、該操作部から前方に向かって延出する挿入部とを具備している。挿入部の先端部を除く部分は可撓性のある材料によって成形されているが、その基端部（操作部側端部）を硬質材料からなる筒状の折れ止めゴムで覆っているので、挿入部の基端部は変形不能であり、操作部に設けた回転自在な湾曲操作ノブを回転操作すると、挿入部の一部をなす湾曲部が湾曲する。そして、この内視鏡の挿入部の基端部の軸線は操作部の軸線と同一方向を向いているので、内視鏡の挿入部を体腔内へ挿入するとき、術者の姿勢や患部の位置によっては、挿入部が体腔内で大きく曲がってしまい、折れ止めゴムに大きな負荷が掛かり、折れ止めゴムが破損してしまう可能性があった。
【０００３】
このため、特許文献１の内視鏡では、操作部の軸線に対して挿入部の基端部の軸線を傾けることにより、挿入部を体腔内に挿入した場合に、折れ止めゴムに大きな負荷が掛からないようにしている。
【０００４】
この内視鏡の挿入部と操作部の内部には、押し引き操作することにより、上記挿入部の先端に形成した湾曲部を湾曲させる２本の湾曲操作ワイヤを配設してある。操作部の内壁には２個のワイヤ案内部材を固着してあり、各ワイヤ案内部材に両湾曲操作ワイヤをそれぞれ挿通して、両湾曲操作ワイヤを案内している。
【０００５】
しかし、このように、湾曲操作ワイヤの数だけワイヤ案内部材を必要とすると、構造が複雑になり、組立作業が面倒になってしまう。
【０００６】
さらに、操作部と挿入部の内部には、チャンネルチューブ、イメージガイドファイバ等の複数の線状物が挿通しているため、操作部と挿入部の内部において、これらの線状物が湾曲操作ワイヤと絡まるおそれがある。特に、操作部と挿入部の連結部の内部において、これらの線状物と湾曲操作ワイヤが絡まるおそれが大きい。
【０００７】
【特許文献１】
実公平６−４７４４１号公報
【０００８】
【発明の目的】
本発明は、湾曲可能な挿入部と、挿入部を湾曲操作する操作部とを、両者の軸線が一直線上に位置せず或る角度で交わる態様で結合した内視鏡において、簡単な構成により、挿入部の湾曲部を湾曲させる湾曲操作ワイヤや、内視鏡の内部を挿通するその他の線状物が、内視鏡の内部で絡まり合わないようにした内視鏡を提供することを目的とする。
【０００９】
【発明の概要】
本発明の内視鏡は、湾曲可能な挿入部と、該挿入部を湾曲操作する操作部とを、両端部に該挿入部と操作部を結合する開口を有し、該一対の開口の軸線が一直線上に位置せずに交わるエルボ連結体を介して結合し、上記挿入部、エルボ連結体及び操作部内に渡らせて、押し引き操作されることにより、上記挿入部を湾曲させる複数の湾曲操作ワイヤを配設し、上記エルボ連結体の操作部側開口内に、上記複数の湾曲操作ワイヤをガイドする単一のガイド部材を配置したことを特徴としている。
【００１０】
この態様では、上記挿入部内に、前端が上記挿入部の先端面において開口し、かつ、後端が上記操作部において開口する処置具挿通用チューブを設け、上記ガイド部材に、該処置具挿通用チューブを挿通させるチューブ案内孔を形成するのが好ましい。
【００１１】
別の態様によれば、本発明の内視鏡は、湾曲可能な挿入部と、該挿入部を湾曲操作する操作部とを、両端部に該挿入部と操作部を結合する開口を有し、該一対の開口の軸線が一直線上に位置せずに交わるエルボ連結体を介して結合し、上記挿入部、エルボ連結体及び操作部内に渡らせて、押し引き操作されることにより、上記挿入部を湾曲させる複数の湾曲操作ワイヤを配設し、上記操作部内に、上記複数の湾曲操作ワイヤをガイドする単一のガイド部材を配置したことを特徴としている。
【００１２】
上記いずれの態様でも、上記エルボ連結体は、上記挿入部及び上記操作部とは別部材とするのが実際的である
【００１３】
さらに別の態様によれば、本発明の内視鏡は、湾曲可能な挿入部と、該挿入部を湾曲操作する操作部とを、両者の軸線が一直線上に位置せず或る角度で交わる態様で結合し、上記挿入部及び操作部内に渡らせて、押し引き操作されることにより、上記挿入部を湾曲させる複数の湾曲操作ワイヤを配設し、上記操作部内に、上記複数の湾曲操作ワイヤをガイドする単一のガイド部材を配置したことを特徴としている。
【００１４】
いずれの態様でも、上記挿入部内に、前端が上記挿入部の先端面において開口し、かつ、後端が上記挿入部の基端部において開口する処置具挿通用チューブを設けることができる。
【００１５】
いずれの態様でも、上記案内部を、上記湾曲操作ワイヤが挿通するワイヤ案内孔とすることが可能である。
【００１６】
また、いずれの態様でも、上記案内部を、上記湾曲操作ワイヤが係合するワイヤ案内溝とすることができる。
【００１７】
さらに、上記操作部に、正逆方向に回転することにより、上記湾曲操作ワイヤを押し引きする湾曲操作ノブを設けるのが好ましい。
【００１８】
【発明の実施の形態】
以下、図１乃至図５を参照して本発明の第１の実施の形態について説明する。まず、本発明の対象とする内視鏡の構成例を説明する。図１に示す内視鏡は医療用の電子内視鏡１０であり、体腔内に挿入する挿入部１１と、術者が左手で把持する操作部１２と、挿入部１１と操作部１２とを連結するエルボ連結体１３とを有しており、操作部１２からはユニバーサルチューブ１４が延設し、ユニバーサルチューブ１４の末端に設けたコネクタ部（図示略）が、内視鏡本体とは別体のプロセッサ（図示略）に着脱可能となっている。
挿入部１１は、先端側から順に硬質材料からなる先端部１５、湾曲部１６及び柔軟で可撓性のある可撓管部１７を有している。図２に示すように、エルボ連結体１３の挿入部側端面１３ａには第１凹部１８を形成してあり、この第１凹部１８には、内部通路１９ａを具備する連結金具１９が嵌合している。さらに、エルボ連結体１３の外周面に周方向に並べて穿設した３個のピン挿通孔１３ｂに抜け止めピン２０を挿通し、各抜け止めピン２０の先端を、連結金具１９の外周面に周方向に並べて形成した３個の係止孔１９ｂに係合することにより、連結金具１９を第１凹部１８に固定している。連結金具１９の内部通路１９ｂは、エルボ連結体１３の内部を貫通する内部通路１３ｃと連通しており、連結金具１９の先端には、可撓管部１７の基端部を接続しているので、連結金具１９の内部通路１９ｂと可撓管部１７の内部が連通している。さらに、可撓管部１７の基端部の周囲には、頭部を切断した円錐形状をなす筒状の折れ止めゴムＧを装着してあり、折れ止めゴムＧの前後の端部のそれぞれを、可撓管部１７の中間部とエルボ連結体１３とに固着している。この折れ止めゴムＧは硬質ゴムからなる補強材であり、可撓管部１７が大きく曲がっても、可撓管部１７の基端部が破損しないように作用するものである。
【００１９】
図２に示すように、エルボ連結体１３の操作部側端面１３ｄは、平面視において、挿入部側端面１３ａに対して４５°の角度で傾斜している。この操作部側端面１３ｄには、内部通路１３ｃと連通する第２凹部２１が形成してあり、さらに、第２凹部２１の内周面には環状溝２１ａが形成してある。そして、第２凹部２１には、操作部１２の先端部をなす円筒部１２ａが嵌合しており、環状溝２１ａにＯリング２２を嵌合している。さらに、エルボ連結体１３の外周面に周方向に並べて穿設した３個のピン挿通孔１３ｅに抜け止めピン２３を挿通し、各抜け止めピン２３の先端を、円筒部１２ａの外周面に周方向に並べて形成した３個の係止孔１２ｂに係合することにより、操作部１２の円筒部１２ａとエルボ連結体１３とを固定している。上述したように、エルボ連結体１３の操作部側端面１３ｄと挿入部側端面１３ａのなす角度が４５°なので、図２に示すように、操作部１２の軸線Ａと挿入部１１の基端部の軸線Ｂは４５°の角度をなす。
【００２０】
図２乃至図５に示すように、操作部１２の内部には操作部１２全体を貫通する内部通路１２ｃが形成してあり、この内部通路１２ｃの内周壁の先端には、径方向を向く一対の仕切片２４が、周方向に等角度間隔で４組突設してあり、対をなす仕切片２４の間にワイヤ案内孔（案内部）２５が形成されている。さらに、各仕切片２４の内端には、内部通路１２ｃと同心をなすリング部２６の外周面を固着してあり、リング部２６の内側がチューブ案内孔２７となっている。そして、各仕切片２４とリング部２６によりガイド部材２８が構成されている。
【００２１】
操作部１２の上面には、上下方向の回転軸を介して上下方向湾曲操作ノブ（湾曲操作ノブ）２９と左右方向湾曲操作ノブ（湾曲操作ノブ）３０とを、上下に重ねて装着してある。上下方向湾曲操作ノブ２９と左右方向湾曲操作ノブ３０の回転軸はともに操作部１２の内部に位置しており、両回転軸の下端部のそれぞれにプーリ（図示略）を固着している。そして、上下方向湾曲操作ノブ２９のプーリには、湾曲部１６の上下方向の向きを調整するための湾曲操作ワイヤＷ１の中間部を巻回してあり、左右方向湾曲操作ノブ３０のプーリには、湾曲部１６の左右方向の向きを調整するための湾曲操作ワイヤＷ２の中間部を巻回している。
【００２２】
４本の湾曲操作ワイヤＷ１、Ｗ２は各ワイヤ案内孔２５を通って、挿入部１１の内部を挿通しており、各湾曲操作ワイヤＷ１、Ｗ２の先端は、湾曲部１６内に設けた節輪に接続し、さらに、その先端は先端部１５の内面に固定されている。
そして、上下方向湾曲操作ノブ２９を図１のＵ方向に回動させると、湾曲部１６が上方（紙面の表面側）に湾曲し、Ｄ方向に回動させると、湾曲部１６が下方（紙面の裏面側）に湾曲する。さらに、左右方向湾曲操作ノブ３０をＬ方向に回動させると、湾曲部１６が左側に湾曲し、Ｒ方向に回動させると、湾曲部１６が右側に湾曲する。
【００２３】
先端部１５の先端面１５ａには対物レンズと配光レンズ（照明窓）（いずれも図示略）を設けてあり、先端部１５内の対物レンズの直後にはＣＣＤ（図示略）を設けてある。そして、ＣＣＤからユニバーサルチューブ１４のコネクタ部まで配設した画像信号伝送用ケーブル（図示略）によって、対物レンズで結像した観察像を、電子画像信号としてプロセッサの画像処理装置に送るようになっている。プロセッサでは、電子画像をモニタに表示したり画像記録媒体に記録することができる。操作部１２には、画像処理関連の遠隔操作を行うための複数のリモート操作ボタンスイッチ３１を設けてある。
【００２４】
また、プロセッサに設けた光源からの照明光が、ユニバーサルチューブ１４のコネクタ部から挿入部１１の先端部１５まで配設したライトガイドファイババンドル（図示略）によって、先端部１５の配光レンズに与えられる。
【００２５】
操作部１２の円筒部１２ａには筒状の鉗子口突起３２が設けてあり、鉗子口突起３２の鉗子口３２ａにはスリット（図示略）を穿設したゴム製キャップ３３を着脱自在に被せてある。鉗子口突起３２の出口側端部は操作部１２の内部において開口しており、この出口側端部にはゴム製の処置具挿通用チューブ３４の入口側端部が接続している。処置具挿通用チューブ３４は、チューブ案内孔２７、エルボ連結体１３と連結金具１９の内部通路１３ｃ、１９ａを通って、挿入部１１の内部を挿通しており、処置具挿通用チューブ３４の出口側端部は、挿入部１１の先端面に設けた処置具挿通孔（図示略）に接続している。このため、スリットから鉗子口突起３２の内部及び処置具挿通用チューブ３４に、鉗子等の処置具（図示略）を挿通可能であり、処置具を処置具挿通孔から電子内視鏡１０の外部に突出可能である。
なお、処置具挿通用チューブ３４の中間部には、一端を負圧源に接続した吸引チューブ（いずれも図示略）が接続している。
【００２６】
操作部１２に設けた吸引ボタン３５を押圧しなければ、例えば、鉗子口３２ａから鉗子などの処置具を挿入させ、処置具挿通チューブ３４を通して先端部１５から突出させることができる。
一方、吸引ボタン３５を押圧すると、負圧源の負圧が吸引チューブを介して処置具挿通用チューブ３４まで及ぶようになり、処置具挿通孔から体液等の流体を吸引可能となる。
【００２７】
電子内視鏡１０の内部には、コネクタ部から先端部１５にわたって送気チューブ３６（図４参照）と送水チューブ３７（図４参照）を配設してある。図４に示すように、送気チューブ３６と送水チューブ３７はチューブ案内孔２７を挿通しており、送気チューブ３６と送水チューブ３７の出口は先端部１５の先端面に設けた送気送水ノズル３８に接続している。
コネクタ部に設けた送気チューブ３６と送水チューブ３７の入口には図示を省略した送気送水源が接続しており、送気送水源は、送気チューブ３６に常時圧縮空気を送っている。送気チューブ３６と送水チューブ３７の中間部は、操作部１２に設けた送気送水シリンダ（図示略）に接続しており、送気送水シリンダには送気送水ボタン３９が摺動自在に嵌合している。そして、送気送水ボタン３９の端面に穿設した孔（図示略）を術者が指で塞ぐと、圧縮空気が送気送水ノズル３８から噴射する。また、送気送水ボタン３９の孔を指で塞いだまま、送気送水ボタン３９を送気送水シリンダ内に押し込むと、水が送気送水ノズル３８から噴射する。
【００２８】
このように本実施形態によれば、湾曲操作ワイヤＷ１、Ｗ２を、各ワイヤ案内孔２５でそれぞれ案内しているので、各湾曲操作ワイヤＷ１、Ｗ２が電子内視鏡１０の内部、特にエルボ連結体１３の内部で絡まるのを効果的に防止できる。
さらに、各ワイヤ案内孔２５の内側に位置するチューブ案内孔２７に、処置具挿通用チューブ３４、送気チューブ３６、及び送水チューブ３７を挿通させているので、処置具挿通用チューブ３４、送気チューブ３６、及び送水チューブ３７が、電子内視鏡１０の内部、特に挿入部１１と操作部１２の間のエルボ連結体１３内で、湾曲操作ワイヤＷ１、Ｗ２と絡まり合うのを防止できる。
しかも、湾曲操作ワイヤＷ１、Ｗ２、処置具挿通用チューブ３４、送気チューブ３６、及び送水チューブ３７を案内するガイド部材２８が単一の部材なので、構造が簡単である。
【００２９】
次に、図６乃至図１２を参照して、本発明の第２の実施の形態について説明する。
なお、第１の実施の形態と同じ部材には同じ符号を付すに止めて、その詳細な説明は省略する。
【００３０】
操作部４０の内部通路４０ａには、操作部４０の軸線Ａ方向を向く仕切板４１を配設してあり、図８に示すように、この仕切板４１により、内部通路４０ａを、ワイヤ案内部４０ｂとチューブ案内部４０ｃとに仕切っている。図８に示すように、仕切板４１のワイヤ案内部４０ｂ側の側面には、２本のワイヤ案内溝（案内部）４２ａ、４２ｂを具備するワイヤ案内部材（ガイド部材）４２を、２本のピン４３、４４により固定しており、さらに、操作部４０の先端面には開口部４５が設けてある。
【００３１】
図６、図７及び図９に示すように、平面視において、エルボ連結体４６の操作部側端面４６ａは、挿入部側端面４６ｂに対して４５°の角度で傾斜しており、エルボ連結体４６の内部には内部通路４６ｃを形成してある。操作部側端面４６ａには、操作部４０の開口部４５に嵌合する環状突部４７が設けてあり、環状突部４７の側面からは一対の係合片４８が突設している。また、挿入部側端面４６ｂには係合凹部４９を形成してある。
上述した操作部４０の開口部４５は、環状突部４７が嵌合する円形部と、係合片４８が嵌合する係合凹部とを具備しており、操作部４０の内部通路４０ａの内周面には両係合凹部を結ぶ一対の周方向を向く係合溝４０ｂを形成してある（図７参照）。そして、エルボ連結体４６は、環状突部４７と係合片４８を円形部と係合凹部とにそれぞれ嵌合した後に、軸線Ａ回りに回転させることにより、両係合片４８が各係合溝４０ｂに係合し、操作部４０と結合する。
【００３２】
可撓管部５０の基端からは係合部５０ａが突設しており、この係合部５０ａをエルボ連結体４６の係合凹部４９に係合することにより、可撓管部５０をエルボ連結体４６に固定している。さらに、可撓管部５０の基端部を硬質材料からなる筒状部材５１により覆っており、筒状部材５１の基端側端面５１ａをエルボ連結体４６の挿入部側端面４６ｂに固着している。さらに、可撓管部５０の筒状部材５１に隣接する部分には折れ止めゴムＧが装着してある。そして、上述したように、エルボ連結体４６の操作部側端面４６ａと挿入部側端面４６ｂのなす角度が４５°なので、図７に示すように、操作部４０の軸線Ａと挿入部１１の基端部の軸線Ｂは４５°の角度をなす。
【００３３】
湾曲操作ワイヤＷ１、Ｗ２は、操作部４０の内部通路４０ａの内部において、各ワイヤ案内溝４２ａ、４２ｂにそれぞれ係合しており、エルボ連結体４６の内部通路４６ｃと可撓管部５０の内部を通って、湾曲部１６内に設けた節輪に接続しており、その先端が先端部１５内に固定されている。そして本実施形態でも、上下方向湾曲操作ノブ２９を図６のＵ方向に回動させると、湾曲部１６が上方（紙面の上）に湾曲し、Ｄ方向に回動させると、湾曲部１６が下方（紙面の下）に湾曲する。さらに、左右方向湾曲操作ノブ３０をＬ方向に回動させると、湾曲部１６が左側に湾曲し、Ｒ方向に回動させると、湾曲部１６が右側に湾曲する。
【００３４】
筒状部材５１には鉗子口突起３２を設けてあり、鉗子口３２ａにはキャップ３３を着脱自在に被せてある。鉗子口突起３２の出口側端部は操作部４０の内部において開口しており、この出口側端部には、ゴム製の処置具挿通用チューブ（図示略）の入口側端部が接続している。処置具挿通用チューブは可撓管部１７の内部を挿通しており、処置具挿通用チューブの出口側端部は、挿入部１１の先端面に設けた処置具挿通孔に接続している。
さらに、この処置具挿通用チューブにも、一端を負圧源に接続した吸引チューブ５２が接続しており、図８に示すように、吸引チューブ５２は操作部４０のチューブ案内部４０ｃを挿通している。
【００３５】
さらに、電子内視鏡１０の内部には、コネクタ部から先端部１５にわたって送気チューブ３６と送水チューブ３７が配設してあり、図８に示すように、送気チューブ３６と送水チューブ３７は、操作部４０のチューブ案内部４０ｃを通っている。
【００３６】
このような本実施形態でも、簡単な構造により、湾曲操作ワイヤＷ１、Ｗ２、吸引チューブ５２、送気チューブ３６、及び送水チューブ３７が、電子内視鏡１０の内部で互いに絡まり合うのを防止できる。特に、操作部４０の内部が、湾曲操作ワイヤＷ１、Ｗ２が通るワイヤ案内部４０ｂと、吸引チューブ５２、送気チューブ３６、及び送水チューブ３７が通るチューブ案内部４０ｃとに仕切られているので、湾曲操作ワイヤＷ１、Ｗ２が操作部４０の内部において、吸引チューブ５２、送気チューブ３６、及び送水チューブ３７と絡まるおそれはない。
なお、処置具挿通用チューブは、挿入部１１の基端部から前方に向かって延びており、エルボ連結体４６の内部には位置していないので、処置具挿通用チューブがエルボ連結体４６の内部で、湾曲操作ワイヤＷ１、Ｗ２や他のチューブ３６、３７、５２と絡まるおそれはない。
【００３７】
なお、第１の実施の形態で、ガイド部材２８を、エルボ連結体１３内ではなく操作部１２内に設けたり、ガイド部材２８の代わりに、第２の実施の形態の仕切板４１とワイヤ案内部材（ガイド部材）４２を、エルボ連結体１３または操作部１２の内部に設けてもよい。
さらに、第２の実施の形態で、仕切板４１とワイヤ案内部材（ガイド部材）４２を、操作部４０内ではなくエルボ連結体４６内に設けたり、仕切板４１とワイヤ案内部材４２の代わりに、第１の実施の形態のガイド部材２８を、エルボ連結体４６または操作部４０の内部に設けてもよい。
【００３８】
また、第２の実施の形態で、エルボ連結体４６を介在させずに、挿入部１１と操作部１２とを、両者の軸線が一直線上に位置せず或る角度で交わるように直接結合してもよい。
【００３９】
【発明の効果】
本発明によれば、湾曲可能な挿入部と、該挿入部を湾曲操作する操作部とを、両者の軸線が一直線上に位置せず或る角度で交わる態様で結合した内視鏡において、簡単な構成により、挿入部の湾曲部を湾曲させる湾曲操作ワイヤや、内視鏡の内部を挿通するその他の線状物が、内視鏡の内部で絡まり合わないようにすることができる。
【図面の簡単な説明】
【図１】本発明の第１の実施の形態の電子内視鏡の全体構造を示す平面図である。
【図２】電子内視鏡の円筒部とエルボ連結体と挿入部の拡大横断平面図である。
【図３】エルボ連結体と円筒部の拡大縦断側面図である。
【図４】図３のＩＶ−ＩＶ矢線に沿う縦断正面図である。
【図５】操作部の円筒部の拡大斜視図である。
【図６】本発明の第２の実施の形態の電子内視鏡の全体構造を示す平面図である。
【図７】操作部とエルボ連結体と挿入部の拡大横断平面図である。
【図８】図７のＶＩＩＩ−ＶＩＩＩ線に沿う拡大縦断正面図である。
【図９】エルボ連結体の側面図である。
【図１０】エルボ連結体の正面図である。
【符号の説明】
１０    電子内視鏡（内視鏡）
１１    挿入部
１２    操作部
１２ａ  円筒部
１２ｂ  係止孔
１２ｃ  内部通路
１３    エルボ連結体
１３ａ  挿入部側端面
１３ｂ  ピン挿通孔
１３ｃ  内部通路
１３ｄ  操作部側端面
１３ｅ  ピン挿通孔
１４    ユニバーサルチューブ
１５    先端部
１６    湾曲部
１７    可撓管部
１８    第１凹部
１９    連結金具
１９ａ  内部通路
１９ｂ  係止孔
２０    抜け止めピン
２１    第２凹部
２１ａ  環状溝
２２    Ｏリング
２３    抜け止めピン
２４    仕切片
２５    ワイヤ案内孔（案内部）
２６    リング部
２７    チューブ案内孔
２８    ガイド部材
２９    上下方向湾曲操作ノブ（湾曲操作ノブ）
３０    左右方向湾曲操作ノブ（湾曲操作ノブ）
３１    リモート操作ボタンスイッチ
３２    鉗子口突起
３２ａ  鉗子口
３３    キャップ
３４    処置具挿通用チューブ
３５    吸引ボタン
３６    送気チューブ
３７    送水チューブ
３８    送気送水ノズル
３９    送気送水ボタン
４０    操作部
４０ａ  内部通路
４０ｂ  ワイヤ案内部
４０ｃ  チューブ案内部
４１    仕切板
４２    ワイヤ案内部材（ガイド部材）
４２ａ  ４２ｂ  ワイヤ案内溝（案内部）
４３  ４４  ピン
４５    開口部
４６    エルボ連結体
４６ａ  操作部側端面
４６ｂ  挿入部側端面
４６ｃ  内部通路
４７    環状突部
４８    係合片
４９    係合凹部
５０    可撓管部
５０ａ  係合部
５１    筒状部材
５２    吸引チューブ
Ａ      操作部の軸線
Ｂ      挿入部の基端部の軸線
Ｇ      折れ止めゴム
Ｗ１    湾曲操作ワイヤ
Ｗ２    湾曲操作ワイヤ
【図１】
2004248777.tif 000003
【図２】
2004248777.tif 000004
【図３】
2004248777.tif 000005
【図４】
2004248777.tif 000006
【図５】
2004248777.tif 000007
【図６】
2004248777.tif 000008
【図７】
2004248777.tif 000009
【図８】
2004248777.tif 000010
【図９】
2004248777.tif 000011
【図１０】
2004248777.tif 000012